(57)【要約】【課題】ユーザーによる煩雑な操作を必要とせずに、ユーザーの観察位置によらず鮮明な色再現を行う。【解決手段】表示部１６の表示画面を観察しているユーザーの視線方向と表示画面の法線方向とがなす角度である視点角度を算出する視点角度算出部２２と、視点角度算出部２２の算出した視点角度に応じて画像信号の彩度を補正する彩度補正部１３とを備える。【選択図】図１
2009128381.tif 000002
【特許請求の範囲】
【請求項１】
複数の色成分からなる画像信号に応じた画像を表示する液晶表示パネルを備えた液晶表示装置であって、
上記液晶表示パネルの表示画面を観察しているユーザーの視線方向を検出し、検出した視線方向と上記表示画面の法線方向とがなす角度である視点角度を算出する視点角度算出部と、
上記視点角度算出部の算出した視点角度に応じて上記画像信号の彩度を補正する彩度補正部とを備えていることを特徴とする液晶表示装置。
【請求項２】
上記表示画面に表示されている画像を観察するユーザーの観察位置と想定される範囲の画像を撮像する撮像手段を備え、
上記視点角度算出部は、上記撮像手段によって撮像された画像に基づいてユーザーの位置を検出し、検出したユーザーの位置と上記表示画面上の点とを結ぶ直線の方向を上記視線方向として上記視点角度を算出することを特徴とする請求項１に記載に液晶表示装置。
【請求項３】
上記視点角度算出部は、上記撮像手段によって撮像された画像におけるユーザーの両目の中点を検出し、この中点に対応する実際の位置と上記表示画面上の点とを結ぶ直線の方向を上記視線方向として上記視点角度を算出することを特徴とする請求項２に記載に液晶表示装置。
【請求項４】
上記視点角度算出部は、上記撮像手段によって撮像された画像に基づいてユーザーの指示入力を上記液晶表示装置に送信するための操作装置の位置を検出し、検出した操作装置の位置と上記表示画面上の点とを結ぶ直線の方向を上記視線方向として上記視点角度を算出することを特徴とする請求項２に記載に液晶表示装置。
【請求項５】
上記操作装置は、ユーザーが上記表示画面上の任意の位置を指し示すためのポインティングデバイスであり、
上記操作装置によって指し示された上記表示画面上の位置である指示位置を検出する指示位置検出部を備え、
上記彩度補正部は、上記指示位置検出部によって検出された指示位置を含む所定範囲内の画像データについてのみ、上記視点角度算出部の算出した視点角度に応じて画像信号の彩度を補正することを特徴とする請求項４に記載の液晶表示装置。
【請求項６】
複数の色成分からなる画像データを明度信号、彩度信号、および色相信号からなる画像データに変換する第１色変換部を備え、
上記彩度補正部は、上記第１色変換部によって変換された明度信号、彩度信号、および色相信号からなる画像データのうち、彩度信号を視点角度に応じて補正することを特徴とする請求項１から５のいずれか１項に記載の液晶表示装置。
【請求項７】
上記彩度補正部によって彩度信号を補正された後の明度信号、彩度信号、および色相信号からなる画像データを、上記液晶表示装置の表示画面に表示させるための表色系の画像データに変換する第２色変換部と、
上記第２色変換部によって変換された画像データを、上記液晶表示パネルの表示特性に応じて所望する色再現を実現するための画像データに補正する色補正部とを備え、
上記色補正部によって補正された画像データを上記液晶表示パネルに表示させることを特徴とする請求項６に記載の液晶表示装置。
【請求項８】
上記視点角度算出部は、上記視点角度を上記表示画面上の複数の位置毎に算出し、
上記彩度補正部は、上記各位置に対応する領域の画像信号の彩度を、これら各位置についての視点角度の算出結果に基づいて補正することを特徴とする請求項１から７のいずれか１項に記載の液晶表示装置。
【請求項９】
上記視点角度算出部の算出した視点角度に応じて画像信号の明度を補正する明度補正部を備えていることを特徴とする請求項１から８のいずれか１項に記載の液晶表示装置。
【請求項１０】
複数の色成分からなる画像信号に応じた画像を表示する液晶表示パネルを備えた液晶表示装置と、この液晶表示装置にユーザーの指示入力を送信するための操作装置とを備えた表示システムであって、
ユーザーが所持している上記操作装置の位置を検出し、検出した操作装置の位置と上記表示画面上の点とを結ぶ直線の方向と、上記表示画面の法線方向とがなす角度をユーザーの視点角度として算出する視点角度算出部と、
上記視点角度算出部の算出した視点角度に応じて画像信号の彩度を補正する彩度補正部とを備えていることを特徴とする表示システム。
【請求項１１】
上記操作装置および上記液晶表示装置のうちの一方に、上記操作装置の位置検出に用いる光を出射する発光部を備え、
上記操作装置および上記液晶表示装置のうち上記発光部を備えていない方に、所定の方向の画像を撮像する撮像手段を備えており、
上記視点角度算出部は、上記撮像手段によって撮像された画像に含まれる上記発光部の位置に基づいて上記操作装置の位置を検出することを特徴とする請求項１０に記載の表示システム。
【請求項１２】
液晶表示パネルに表示する画像信号の色を補正する色補正方法であって、
上記液晶表示パネルの表示画面を観察しているユーザーの視線方向を検出し、検出した視線方向と上記表示画面の法線方向とがなす角度である視点角度を算出する視点角度算出工程と、
上記視点角度算出工程で算出した視点角度に応じて画像信号の彩度を補正する彩度補正工程とを含むことを特徴とする色補正方法。
【請求項１３】
請求項１から９のいずれか１項に記載の液晶表示装置を動作させるためのプログラムであって、コンピュータを上記各部として機能させるためのプログラム。
【請求項１４】
請求項１３に記載のプログラムを記録したコンピュータ読み取り可能な記録媒体。
【発明の詳細な説明】
【技術分野】
【０００１】
本発明は、ユーザーに対してその観察位置によらず鮮明な色再現を行うことのできる液晶表示装置、表示システム、および色補正方法に関するものである。
【背景技術】
【０００２】
液晶表示装置（以下、ＬＣＤ）は、薄型軽量、低消費電力といった特長を有することから、近年、パソコンなどのＯＡ機器やテレビなどの家電機器に用いられる表示装置として広く用いられている。
【０００３】
ところが、液晶表示装置は、一般に、視野角によって表示色や表示コントラストが変化するという表示方式の原理上生じる視角特性を有している。すなわち、液晶層に対して光が垂直に入射した場合と斜めに入射した場合とで、液晶の屈折率異方性のために液晶層の入射面において屈折率の差が生じ、液晶層を通過した光の偏光状態が異なる。その結果、見る方向によってコントラストや表示色が変化するという現象が生じる。このような視野角によってコントラストや表示色が変化するという現象は、現在普及している液晶表示装置に多く採用されているＴＮ方式（捻れネマティック方式）において特に生じやすい。
【０００４】
このような視角特性による表示色や表示コントラストの変化を抑制する技術が特許文献１に開示されている。この特許文献１の技術では、対向して配置された一対の電極基板の間に捻れ配向したネマティック液晶を狭持してなる液晶セルと、この液晶セルを挟んだ両側の位置に配置された一対の偏光板と、出射側の偏光板に対応する位置に、液晶セルの表面に対し傾いた方向での楕円偏光を直線偏光に近づけることが可能な一軸性の二色性色素を含有する光学補償シートとを設けている。そして、この一軸性の二色性色素によって、暗状態における傾き角の大きい領域で、従来の位相差フィルムでは補償できない人間の比視感度の高い波長範囲の光を吸収させることで、コントラストや表示色の視野角特性の改善を図っている。
【０００５】
また、特許文献２には、色相、明度に左右されない彩度強調を行って原稿により忠実な色再現を行うための技術として、入力された画像データを明度、彩度、色相で表されるマンセル座標系あるいは均等色座標系に変換し、変換した画像データに対してオペレータの指示等により彩度強調を行い、彩度強調された画像データをＲＧＢデータあるいはＹＭＣデータに変換して表示あるいは印刷する技術が記載されている。
【特許文献１】特開平９−２５８２１２号公報（公開日：平成９年１０月３日）
【特許文献２】特開平６−１１８９２６号公報（公開日：平成６年４月２８日）
【特許文献３】特開２００７−６６０８０号公報（公開日：平成１７年８月３１日）
【特許文献４】特公昭５８−１６１８０号公報
【発明の開示】
【発明が解決しようとする課題】
【０００６】
しかしながら、特許文献１の技術では、液晶パネルの構成を変更する必要あること、および部品点数が増加することから、液晶表示装置の製造コストが増大するという問題がある。
【０００７】
また、特許文献２の技術では、オペレータが彩度の強調量を指示入力する必要があるので、ユーザーの利便性が低いという問題がある。また、特許文献２では、液晶表示装置の視角特性については何ら考慮されておらず、視角特性に起因する表示品位の低下を抑制するように彩度を調整することについては何ら考慮されていない。
【０００８】
本発明は、上記の問題点に鑑みてなされたものであり、その目的は、ユーザーによる煩雑な操作を必要とせずにユーザーの観察位置によらず鮮明な色再現を行うことのできる液晶表示装置、表示システム、および色補正方法を提供することにある。
【課題を解決するための手段】
【０００９】
本発明の液晶表示装置は、上記の課題を解決するために、複数の色成分からなる画像信号に応じた画像を表示する液晶表示パネルを備えた液晶表示装置であって、上記液晶表示パネルの表示画面を観察しているユーザーの視線方向を検出し、検出した視線方向と上記表示画面の法線方向とがなす角度である視点角度を算出する視点角度算出部と、上記視点角度算出部の算出した視点角度に応じて上記画像信号の彩度を補正する彩度補正部とを備えていることを特徴としている。
【００１０】
液晶表示パネルは、一般に、ユーザーの視点角度が大きくなるほどこのユーザーに観察される表示画像の彩度が低下するという視角特性を有している。これに対して、上記の構成によれば、視点角度算出部が、液晶表示パネルの表示画面を観察しているユーザーの視線方向を検出し、検出した視線方向と表示画面の法線方向とがなす角度である視点角度を算出し、彩度補正部が、視点角度算出部の算出した視点角度に応じて画像信号の彩度を補正する。これにより、ユーザーの観察位置によらずに鮮明な画像をこのユーザーに観察させることができる。また、ユーザーが画像信号の彩度を補正するための操作を行う必要がないので、ユーザーによる煩雑な操作を必要とせずに鮮明な画像をこのユーザーに観察させることができる。また、従来から用いられている液晶表示パネルの構成を変更することなく用いることができるので、ユーザーの観察位置によらずに鮮明な画像をこのユーザーに観察させることができる液晶表示装置を、製造コストを増大させることなく安価に提供できる。
【００１１】
また、上記表示画面に表示されている画像を観察するユーザーの観察位置と想定される範囲内範囲の画像を撮像する撮像手段を備え、上記視点角度算出部は、上記撮像手段によって撮像された画像に基づいてユーザーの位置を検出し、検出したユーザーの位置と上記表示画面上の点とを結ぶ直線の方向を上記視線方向として上記視点角度を算出する構成としてもよい。
【００１２】
上記の構成によれば、撮像手段によって撮像された画像に基づいてユーザーの視点角度を算出することができる。
【００１３】
また、上記視点角度算出部は、上記撮像手段によって撮像された画像におけるユーザーの両目の中点を検出し、この中点に対応する実際の位置と上記表示画面上の点とを結ぶ直線の方向を上記視線方向として上記視点角度を算出することができる。
【００１４】
上記の構成によれば、ユーザーの目の位置に基づいてユーザーの視点角度を算出できるので、ユーザーの視点位置を精度よく算出することができる。
【００１５】
また、上記視点角度算出部は、上記撮像手段によって撮像された画像に基づいてユーザーの指示入力を上記液晶表示装置に送信するための操作装置の位置を検出し、検出した操作装置の位置と上記表示画面上の点とを結ぶ直線の方向を上記視線方向として上記視点角度を算出する構成としてもよい。
【００１６】
上記の構成によれば、撮像手段によって撮像された画像に含まれる操作装置の位置に基づいてユーザーの視点角度を算出できる。これにより、ユーザーの顔の位置や目の位置の検出結果に基づいて視点角度を算出する場合に比べて、視点角度の検出処理を簡略化することができる。また、ユーザーの顔の位置や目の位置の検出結果に基づいて視点角度を算出する場合に比べて、視点角度の算出を行うために必要な撮像画像の解像度が低くなるので、安価な撮像手段を用いることができ、液晶表示装置をより安価に製造することができる。また、撮像画像に複数のユーザーが含まれる場合であっても、いずれのユーザーの視点角度に基づいて彩度補正を行うかを自動的に決定できる。
【００１７】
また、上記操作装置は、ユーザーが上記表示画面上の任意の位置を指し示すためのポインティングデバイスであり、上記操作装置によって指し示された上記表示画面上の位置である指示位置を検出する指示位置検出部を備え、上記彩度補正部は、上記指示位置検出部によって検出された指示位置を含む所定範囲内の画像データについてのみ、上記視点角度算出部の算出した視点角度に応じて画像信号の彩度を補正する構成としてもよい。
【００１８】
上記の構成によれば、ユーザーによって指し示されている表示画面上の位置を特定し、この指示位置を含む所定範囲の画像について彩度を補正することができる。これにより、ユーザーが注目している領域の画像を鮮明に表示させることができる。
【００１９】
また、複数の色成分からなる画像データを明度信号、彩度信号、および色相信号からなる画像データに変換する第１色変換部を備え、上記彩度補正部は、上記第１色変換部によって変換された明度信号、彩度信号、および色相信号からなる画像データのうち、彩度信号を視点角度に応じて補正する構成としてもよい。
【００２０】
上記の構成によれば、明度、彩度、および色相を互いに独立して取り扱うことができるので、彩度の補正に伴って明度および色相が変化してしまうことを防止できる。
【００２１】
また、上記彩度補正部によって彩度信号を補正された後の明度信号、彩度信号、および色相信号からなる画像データを、上記液晶表示装置の表示画面に表示させるための表色系の画像データに変換する第２色変換部と、上記第２色変換部によって変換された画像データを、上記液晶表示パネルの表示特性に応じて所望する色再現を実現するための画像データに補正する色補正部とを備え、上記色補正部によって補正された画像データを上記液晶表示パネルに表示させる構成としてもよい。
【００２２】
上記の構成によれば、液晶表示パネルの表示特性に応じて所望する色再現を実現することができる。
【００２３】
また、上記視点角度算出部は、上記視点角度を上記表示画面上の複数の位置毎に算出し、上記彩度補正部は、上記各位置に対応する領域の画像信号の彩度を、これら各位置についての視点角度の算出結果に基づいて補正する構成としてもよい。
【００２４】
上記の構成によれば、表示画面上の位置毎にユーザーの視点角度を算出し、これら各位置についての視点角度の算出結果に基づいて表示画面上の各位置における画像信号の彩度を補正することができる。これにより、ユーザーの観察位置によらず、このユーザーにより鮮明な画像を観察させることができる。
【００２５】
また、上記視点角度算出部の算出した視点角度に応じて画像信号の明度を補正する明度補正部を備えている構成としてもよい。
【００２６】
液晶表示パネルは、一般に、ユーザーの視点角度が大きくなるほどコントラストが低下するという特性を有している。これに対して、上記の構成によれば、彩度だけでなく明度を視点角度に応じて補正することができるので、ユーザーの観察位置によらず、コントラストの低下を防止あるいは抑制した画像をこのユーザーに観察させることができる。
【００２７】
本発明の表示システムは、上記の課題を解決するために、複数の色成分からなる画像信号に応じた画像を表示する液晶表示パネルを備えた液晶表示装置と、この液晶表示装置にユーザーの指示入力を送信するための操作装置とを備えた表示システムであって、ユーザーが所持している上記操作装置の位置を検出し、検出した操作装置の位置と上記表示画面上の点とを結ぶ直線の方向と、上記表示画面の法線方向とがなす角度をユーザーの視点角度として算出する視点角度算出部と、上記視点角度算出部の算出した視点角度に応じて画像信号の彩度を補正する彩度補正部とを備えていることを特徴としている。
【００２８】
上記の構成によれば、視点角度算出部が、ユーザーが所持している操作装置の位置を検出し、検出した操作装置の位置と表示画面上の点とを結ぶ直線の方向と、表示画面の法線方向とがなす角度をユーザーの視点角度として算出し、彩度補正部が、視点角度算出部の算出した視点角度に応じて画像信号の彩度を補正する。これにより、ユーザーの観察位置によらずに鮮明な画像をこのユーザーに観察させることができる。また、ユーザーが画像信号の彩度を補正するための操作を行う必要がないので、ユーザーによる煩雑な操作を必要とせずに鮮明な画像をこのユーザーに観察させることができる。また、従来から用いられている液晶表示パネルの構成を変更することなく用いることができるので、ユーザーの観察位置によらずに鮮明な画像をこのユーザーに観察させることができる液晶表示装置を、製造コストを増大させることなく安価に提供できる。
【００２９】
また、上記操作装置および上記液晶表示装置のうちの一方に、上記操作装置の位置検出に用いる光を出射する発光部を備え、上記操作装置および上記液晶表示装置のうち上記発光部を備えていない方に、所定の方向の画像を撮像する撮像手段を備えており、上記視点角度算出部は、上記撮像手段によって撮像された画像に含まれる上記発光部の位置に基づいて上記操作装置の位置を検出する構成としてもよい。
【００３０】
上記の構成によれば、撮像手段によって撮像された画像に含まれる発光部の位置に基づいて操作装置の位置を検出し、この検出結果に基づいて上記視点角度を算出することができる。
【００３１】
本発明の色補正方法は、上記の課題を解決するために、液晶表示パネルに表示する画像信号の色を補正する色補正方法であって、上記液晶表示パネルの表示画面を観察しているユーザーの視線方向を検出し、検出した視線方向と上記表示画面の法線方向とがなす角度である視点角度を算出する視点角度算出工程と、上記視点角度算出工程で算出した視点角度に応じて画像信号の彩度を補正する彩度補正工程とを含むことを特徴としている。
【００３２】
上記の方法によれば、視点角度算出工程で、上記液晶表示パネルの表示画面を観察しているユーザーの視線方向を検出し、検出した視線方向と上記表示画面の法線方向とがなす角度である視点角度を算出する。そして、彩度補正工程で、視点角度算出部の算出した視点角度に応じて画像信号の彩度を補正する。これにより、ユーザーの観察位置によらずに鮮明な画像をこのユーザーに観察させることができる。また、ユーザーが画像信号の彩度を補正するための操作を行う必要がないので、ユーザーによる煩雑な操作を必要とせずに鮮明な画像をこのユーザーに観察させることができる。また、従来から用いられている液晶表示パネルの構成を変更することなく用いることができるので、ユーザーの観察位置によらずに鮮明な画像をこのユーザーに観察させることができる液晶表示装置を、製造コストを増大させることなく安価に提供できる。
【００３３】
なお、上記液晶表示装置は、コンピュータによって実現してもよく、この場合には、コンピュータを上記各部として動作させることにより、上記液晶表示装置の各部をコンピュータにて実現させるプログラム、およびそれを記録したコンピュータ読み取り可能な記録媒体も本発明の範疇に含まれる。
【発明の効果】
【００３４】
以上のように、本発明の液晶表示装置は、液晶表示パネルの表示画面を観察しているユーザーの視線方向を検出し、検出した視線方向と表示画面の法線方向とがなす角度である視点角度を算出する視点角度算出部と、視点角度算出部の算出した視点角度に応じて画像信号の彩度を補正する彩度補正部とを備えている。
【００３５】
また、本発明の表示システムは、ユーザーが所持している上記操作装置の位置を検出し、検出した操作装置の位置と上記表示画面上の点とを結ぶ直線と、上記表示画面の法線方向とがなす角度をユーザーの視点角度として算出する視点角度算出部と、上記視点角度算出部の算出した視点角度に応じて画像信号の彩度を補正する彩度補正部とを備えている。
【００３６】
また、本発明の色補正方法は、上記液晶表示パネルの表示画面を観察しているユーザーの視線方向を検出し、検出した視線方向と上記表示画面の法線方向とがなす角度である視点角度を算出する視点角度算出工程と、上記視点角度算出工程で算出した視点角度に応じて画像信号の彩度を補正する彩度補正工程とを含む。
【００３７】
それゆえ、本発明の液晶表示装置、表示システム、および色補正方法によれば、ユーザーの観察位置によらずに鮮明な画像をこのユーザーに観察させることができる。
【発明を実施するための最良の形態】
【００３８】
〔実施形態１〕
本発明の一実施形態について説明する。図１は本実施形態にかかる液晶表示装置１の概略構成を示すブロック図である。この図に示すように、液晶表示装置１は、表示データ入力部１１、第１色変換部１２、彩度強調部１３、第２色変換部１４、色補正部１５、表示部１６、記憶部１７、撮像部２１、視点角度算出部２２を備えている。
【００３９】
記憶部１７には、第１色変換部１２、彩度強調部１３、第２色変換部１４、色補正部１５、視点角度算出部２２等の液晶表示装置１の各部における処理に用いられる各種のパラメータ、ＬＵＴ（ルックアップテーブル）、演算式等が記憶されている。液晶表示装置１の上記各部は記憶部１７に記憶されているこれらの情報のうち必要なものを適宜読み出して処理を行うようになっている。
【００４０】
表示データ入力部１１は、外部から入力される映像データを受け付け、受け付けた映像データを第１色変換部１２に出力する。例えば、表示データ入力部１１は、ネットワーク等を介して通信可能に接続されるパソコン等の情報処理装置、放送電波を受信するチューナ、各種記録メディアに記録された映像を再生する再生装置などから入力される映像データを取得する。あるいは、液晶表示装置１に備えられる記憶部（図示せず）に記憶されている映像データを表示データ入力部１１に入力するようにしてもよい。なお、本実施形態ではＲＧＢデータが入力されるものとするが、入力される映像データの種別はこれに限るものではない。
【００４１】
第１色変換部１２は、表示データ入力部１１から入力されたＲＧＢデータを明度、彩度、色相の色空間データ（映像データ）に変換し、変換した映像データを彩度強調部１３に出力する。明度、彩度、色相の色空間データとは、映像データを明度、彩度、色相の各パラメータで表現したデータであり、例えば、直交座標であるＣＩＥ１９７６Ｌ＊ａ＊ｂ＊信号を円柱座標に変換したＬＣｈ（Ｌ：明度、Ｃ：彩度、ｈ：色相）のデータや、ＲＧＢデータを人間が感覚的に分かりやすい（調整しやすい）色空間に変換したＨＳＶ（Ｈ：色相、Ｓ：彩度、Ｖ：明度）などである。
【００４２】
例えば、入力されたｓＲＧＢデータ（ＲＧＢ）をＣＩＥ Ｌ＊ａ＊ｂ＊データに変換する場合、まず、下記式に基づいてｓＲＧＢデータをＸＹＺデータ（ＸＹＺ）に変換する。
【００４３】
【数１】
2009128381.tif 000003
【００４４】
次に、下記式に基づいてＸＹＺデータ（ＸＹＺ）をＣＩＥ Ｌ＊ａ＊ｂ＊データ（Ｌａｂ）に変換する。なお、下記式において（ｘγ、ｙγ、ｚγ）は白色点を表している。
【００４５】
【数２】
2009128381.tif 000004
【００４６】
その後、下記式に基づいて直交座標系（Ｌａｂ）から円柱座標系（ＬＣｈ）に変換する。
【００４７】
【数３】
2009128381.tif 000005
【００４８】
また、入力されたｓＲＧＢデータをＨＳＶへ変換する場合、通常のｓＲＧＢデータは、２．２ガンマ曲線を持っているので、まず、下記式に基づいてガンマ曲線をもたない線形化ＲＧＢデータ（Ｒｌｉｎ，Ｇｌｉｎ，Ｂｌｉｎ）に変換する。
【００４９】
【数４】
2009128381.tif 000006
【００５０】
そして、下記式に基づいて上記の線形化ＲＧＢデータをＨＳＶデータに変換する。
【００５１】
【数５】
2009128381.tif 000007
【００５２】
彩度強調部１３は、後述する視点角度算出部２２で算出された視点角度に基づいて、第１色変換部１２から入力された映像データのうち、彩度を示す映像データに対して彩度強調処理を行い、彩度強調処理後の映像データを第２色変換部１４に出力する。なお、彩度強調部１３は、明度および色相の映像データについては第１色変換部１２から入力された映像データをそのまま第２色変換部１４に出力する。あるいは、明度および色相の映像データについては彩度強調部１３を介さずに第１色変換部１２から第２色変換部１４に入力するようにしてもよい。
【００５３】
第２色変換部１４は、入力された明度、彩度、色相の映像データを、後述する表示部１６の表示特性に依存しない色空間（表示デバイスに独立な色空間）の映像データに変換し、変換した映像データを色補正部１５に出力する。上記の色空間としては、例えば、ＸＹＺ（反射による物体色の三刺激値）や、ＣＩＥ１９７６ Ｌ＊ａ＊ｂ＊（ＣＩＥ(Commission International de l’Eclairage)：国際照明委員会、Ｌ＊：明度、ａ＊，ｂ＊：色度）などが挙げられる。本実施形態ではＸＹＺ色空間に変換するものとする。
【００５４】
色補正部１５は、第２色変換部１４から入力された映像データに対し、表示部１６の表示特性を考慮した最適な色再現を行うための色補正を行う。図２は、色補正部１５の構成を示すブロック図であり、第２色変換部１４から入力された表示部１６の表示特性（色再現特性）に依存しない色空間（表示デバイスに対して独立した色空間）の映像データを、表示部１６の表示特性に依存する色空間（表示デバイスの表示特性を考慮した色空間）の映像データに色補正する場合の構成例を示している。
【００５５】
この図に示すように、色補正部１５は、行列演算部３１、入力１次元ＬＵＴ演算部３２、３次元ＬＵＴ演算部３３、出力１次元ＬＵＴ演算部３４を備えている。また、この図に示すように、記憶部１７には表示部１６のプロファイルを記憶するプロファイル記憶部１７ａが備えられている。なお、プロファイルとは、表示デバイスごとの色再現特性に応じて各表示デバイスにおいて適切な色再現（好ましい色再現、あるいは忠実な色再現）を実現するための各種パラメータや条件等を規定したものである。本実施形態では、プロファイルとして、ＩＣＣ(International Color Consortium)の定義に従い、行列パラメータ、入力１次元ＬＵＴ、３次元ＬＵＴ、出力１次元ＬＵＴなどで表されるプロファイルを用いる。行列演算部３１、入力１次元ＬＵＴ演算部３２、３次元ＬＵＴ演算部３３、出力１次元ＬＵＴ演算部３４は、この色補正処理に必要なテーブルデータ等のプロファイルを記憶部１７のプロファイル記憶部１７ａから適宜読み出して処理を行う。
【００５６】
行列演算部３１は、プロファイル記憶部１７ａから読み出した行列パラメータ（例えば３×３行列）に基づいて、入力された映像データの色空間を異なる色空間に線形座標変換する。本実施形態では、ＸＹＺ色空間の映像データを、ＲＧＢ色空間の映像データに線形変換する。
【００５７】
入力１次元ＬＵＴ演算部３２は、プロファイル記憶部１７ａから読み出した入力１次元ＬＵＴを用いて、後段の３次元ＬＵＴ演算部３３で線形補間を行う際の３次元ＬＵＴの色空間の非線形性を取り除くように、行列演算部３１から入力された映像データを補正する。
【００５８】
３次元ＬＵＴ演算部３３は、プロファイル記憶部１７ａから読み出した３次元ＬＵＴと、入力１次元ＬＵＴ演算部３２から入力された映像データにおける各画素に対する信号の下位４ビットを用いて線形補間演算を行い、演算結果を出力１次元ＬＵＴ演算部３４に出力する。補間演算の方法は限定されるものではなく、例えば、特許文献４のように４点補間（４点を用いた補間）を用いてもよく、８点補間、６点補間などを用いてもよい。
【００５９】
図３は８点補間を行う場合の補間方法を説明するための説明図である。この図に示すように、入力信号空間（入力された信号の色空間）における任意の入力画像データｐを取り囲む８つの格子点Ｐ０〜Ｐ７からなる格子内における、入力画像データｐの格子点Ｐ０（上記８つの格子点のうち各色成分の値が最小である点）に対する各色成分方向についての位置の、各色成分方向についての格子幅に対する相対比（重み係数）を（ａ，ｂ，ｃ）とすると、８点補間（立方体補間）での入力画像データｐの補間値ｆ（ｐ）は、格子点ｐｉ（ｉは各格子点を示す０〜７の整数）におけるテーブル値をｆ（ｐｉ）として、下記式により求められる。
【００６０】
【数６】
2009128381.tif 000008
【００６１】
出力１次元ＬＵＴ演算部３４は、プロファイル記憶部１７ａから読み出した出力１次元ＬＵＴを用いて、３次元ＬＵＴ演算部３３から入力された映像データを明度がリニアになるように補正し、補正後の映像データを表示部１６に出力する。
【００６２】
表示部１６は、液晶表示パネル（図示せず）と、この液晶表示パネルの各画素を表示する映像データに応じて駆動する駆動回路（図示せず）とを備えており、色補正部１５から入力される映像データに応じた画像をこの液晶表示パネルに表示する。なお、本実施形態ではＴＮ方式の液晶表示パネルを用いる。ただし、液晶表示パネルの表示方式はこれに限らず、従来から公知の種々の表示方式を用いることができる。
【００６３】
撮像部２１は、ＣＣＤ等の撮像素子を備えた撮像手段を備えており、液晶表示装置１の液晶表示パネル近傍に備えられ、この液晶表示パネルを観察するユーザーを撮像する。なお、撮像部２１の構成は特に限定されるものではなく、液晶表示装置１の液晶表示パネルに表示される画像を観察可能な位置にいるユーザーの顔および目の位置を適切に認識できる画像を撮像できるものであればよい。
【００６４】
視点角度算出部２２は、撮像部２１の撮像した画像データに基づいて、ユーザーの視線方向を検出し、この視線方向と液晶表示パネルの表示面に対して垂直な方向とがなす角度である視点角度を算出する。また、算出した視点角度を示すデータを彩度強調部１３に出力する。
【００６５】
図４（ａ）および図４（ｂ）は、視点角度の算出方法を説明するための説明図であり、液晶表示装置１の液晶表示パネル１８を水平方向から見た断面図である。
【００６６】
まず、視点角度算出部２２は、撮像部２１によって撮像された画像データから肌色部分を検出することによりユーザーの顔の領域（顔領域）を検出する。さらに、視点角度算出部２２は、検出された顔領域から目の領域（目領域）を抽出する。そして、ユーザーの両目の中点を視点位置Ｅとする。なお、顔領域および目領域の検出方法については従来から公知の種々の方法を用いることができる。
【００６７】
図４（ａ）に示すように、撮像部２１の撮像素子（図示せず）Ｃとユーザーの視点位置（目の位置）Ｅとを結ぶ線分ＣＥ、すなわち焦点距離をＬとする。また、液晶表示パネル１８の中心Ａと撮像部２１の撮像素子Ｃとを結ぶ線分ＡＣ、すなわち撮像素子の設置距離をＭとする。また、線分ＣＥと液晶表示パネル１８の表示面とのなす角度であるカメラ角度をαとする。この場合、視点位置Ｅから液晶表示パネル１８の表示面を含む平面におろした垂線ＢＥの長さはＢＥ＝Ｌ×ｓｉｎαとなる。また、上記垂線ＢＥの足Ｂと液晶表示パネル１８の中心Ａとを結ぶ線分ＡＢの長さは、ＡＢ＝Ｌｃｏｓα−Ｍとなる。したがって、液晶表示パネル１８の中心Ａを通り、液晶表示パネル１８の表示面に対して垂直な直線と、線分ＡＥとのなす角を視点角度θとすると、ｔａｎ（π／２−θ）＝Ｌ×ｓｉｎα／（L×ｃｏｓα−１）なので、θ＝ｔａｎ−１（（L×ｃｏｓα−１）／Ｌ×ｓｉｎα）となる。
【００６８】
なお、視点位置Ｅが同じ場合であっても、液晶表示パネル１８上の位置によって視点角度は異なる。例えば、図４（ｂ）に示したように、液晶表示パネル１８の中心Ａに対する視点角度θ、液晶表示パネル１８の上端部Ａ１に対する視点角度θ１、液晶表示パネル１８の下端部Ａ２に対する視点角度θ２はいずれも異なる。そこで、本実施形態では、液晶表示パネル１８の中心Ａに対する視点角度θだけでなく、液晶表示パネル１８上の位置に応じて段階的あるいは連続的に複数の視点角度を算出する。
【００６９】
また、ここでは、上下方向（鉛直方向）についての視点角度を算出する方法について説明したが、水平方向の視点角度についても同様に算出する。ただし、液晶表示装置１の用途、設置状況によっては、上下方向の視点角度のみを考慮するようにしたり、水平方向の視点角度のみを考慮するようにしたりしてもよい。
【００７０】
次に、彩度強調部１３における彩度強調処理について説明する。図５（ａ）は液晶表示装置１における視点角度と彩度の低下量との関係を示すグラフであり、図５（ｂ）は視点角度と彩度補正量（彩度強調量）との関係を示すグラフである。
【００７１】
図５（ａ）に示したように、液晶表示装置１の液晶表示パネル１８について、視点角度と彩度の低下量との関係を予め実験等により求める。図６は、視点角度と彩度の低下量との関係を調べるための実験方法の一例を示す説明図である。
【００７２】
図６に示す例では、略同じ表示特性を有する２つの液晶表示パネル１８，１８’を用いる。そして、これら両液晶表示パネル１８，１８’に同じカラーパッチ（テスト画像）を表示させた状態で、液晶表示パネル１８’については視点角度を０°で一定とする一方、液晶表示パネル１８については視点角度を表示された画像を観測可能な範囲内（図５（ａ）および図５（ｂ）では０°以上θｍ以下の範囲内）で段階的に変化させる。そして、変化させた各視点角度において両液晶表示パネル１８，１８’の彩度が同じように観察されるまで液晶表示パネル１８に表示させるカラーパッチの彩度を変化させていく。これにより、各視点角度における彩度の低下量を算出し、視点角度毎に記録していく。
【００７３】
そして、このように算出した彩度の低下量を補うための彩度の補正量を書く視点角度毎に設定し、設定した視点角度と彩度補正量との関係を１次元ＬＵＴとして記憶部１７に記憶させておく。あるいは、視点角度と彩度補正量との関係を示す演算式を算出し、算出した演算式を記憶部１７に記憶させておいてもよい。図６（ｂ）は、図６（ａ）のように彩度が低下する特性を有している場合の彩度補正量を示すグラフである。
【００７４】
また、ここでは、上下方向（鉛直方向）についての視点角度の変化と彩度補正量との関係について説明したが、水平方向の視点角度と彩度補正量との関係についても同様に算出すればよい。また、上下方向の視点角度と水平方向の視点角度との組み合わせ毎に彩度の低下量を検出し、上下方向の視点角度と水平方向の視点角度との組み合わせ毎に彩度補正量を設定して記憶部１７に記憶させておいてもよい。
【００７５】
彩度強調部１３は、視点角度算出部２２で算出された視点角度に対応する彩度補正量を記憶部１７から読み出し、第１色変換部１２から入力された映像データの彩度に上記の彩度補正量を加算することで彩度強調処理を行う。つまり、（彩度強調後の彩度）＝（第１色変換部１２から入力された映像データの彩度）＋（視点角度に対応する彩度補正量）とする。
【００７６】
図７は、液晶表示装置１における色変換処理の流れを示すフロー図である。この図に示すように、表示データ入力部１１に映像データが入力されると（Ｓ１）、表示データ入力部１１は入力された映像データを第１色変換部１２に出力する。
【００７７】
第１色変換部１２は、表示データ入力部１１から入力された映像データを明度、彩度、色相の色空間データに変換し（Ｓ２）、彩度強調部１３に出力する。
【００７８】
また、Ｓ１およびＳ２の処理の後、あるいはＳ１およびＳ２の処理と並行して、撮像部２１が撮像処理を行って撮像データを取得し（Ｓ３）、撮像部２１が取得した撮像データに基づいて視点角度算出部２２がユーザーの視点角度を算出し（Ｓ４）、算出した視点角度を彩度強調部１３に通知する。
【００７９】
次に、彩度強調部１３は、視点角度算出部２２で算出された視点角度に応じて、第１色変換部１２から入力された映像データに彩度強調処理を施し（Ｓ５）、彩度強調処理後の映像データを第２色変換部１４に出力する。
【００８０】
第２色変換部１４は、彩度強調部１３から入力された映像データを、表示部１６の表示特性に依存しない色空間（表示デバイスに独立な色空間）の映像データに変換し（Ｓ６）、変換した映像データを色補正部１５に出力する。
【００８１】
色補正部１５は、第２色変換部１４から入力された映像データに対して、表示部１６の表示特性を考慮した最適な色再現を行うための色補正を施し（Ｓ７）、色補正処理後の映像データを表示部１６に出力する。これにより、入力された映像データに対して色変換処理を施した映像データが表示部１６に表示される。
【００８２】
以上のように、本実施形態にかかる液晶表示装置１は、表示画面を観察するユーザーの視点角度を算出し、この視点角度に応じて映像データの彩度を強調して表示する。つまり、液晶表示装置は、一般に、ユーザーの視点角度が大きくなるほどこのユーザーに観察される画像の彩度が低下する視角特性を有している。これに対して、本実施形態にかかる液晶表示装置１は、表示画面を観察するユーザーの視点角度を算出し、液晶表示パネルの視角特性に起因してユーザーに観察される画像の彩度が低下することを防止あるいは抑制するように、視点角度に応じて映像データの彩度を強調する。これにより、ユーザーの観察位置によらずに鮮明な色再現をこのユーザーによる煩雑な操作を必要とせずに行うことができる。また、従来の液晶表示パネルおよびこの液晶表示パネルに応じた色補正部（色補正テーブル）を用いて上記の構成を実現できるので、ユーザーの観察位置によらずに鮮明な色再現を行うことのできる液晶表示装置を製造コストを増大させることなく安価に製造することができる。
【００８３】
〔実施形態２〕
本発明の他の実施形態について説明する。なお、説明の便宜上、実施形態１と同様の機能を有する部材については同じ符号を付し、その説明を省略する。
【００８４】
実施形態１では、視点角度算出部２２が撮像部２１の撮像した撮像データからユーザーの顔および目の位置を検出し、この検出結果に基づいてユーザーの視点角度を算出していた。これに対して、本実施形態では、ユーザーが所持しているＬＣＤ用リモコン４０から出射される光を撮像部２１によって撮像し、この撮像データに基づいて視点角度算出部２２がユーザーの視点角度を算出する。つまり、本実施形態では、撮像部２１の撮像した画像データに基づいて、液晶表示パネル上の点とＬＣＤ用リモコン４０の位置とを結ぶ直線の方向と表示面に垂直な方向とがなす角度を算出し、算出した角度をユーザーの視点角度とみなす。
【００８５】
図８は、本実施形態にかかる表示システム１００の概略構成を示すブロック図である。この図に示すように、表示システム１００は、液晶表示装置１と、この液晶表示装置１にユーザーの指示を送信するためのＬＣＤ用リモコン４０とを備えている。
【００８６】
ＬＣＤ用リモコン４０は、多数の操作ボタン（図示せず）と、この操作ボタンを介して入力されたユーザーからの指示に応じて発光する発光部４１とを備えている。なお、本実施形態では発光部４１として赤外波長域の光を出射する赤外ＬＥＤを用いているが、これに限らず、後述するように液晶表示装置１側に備えられる撮像部２１による撮像データに基づいてＬＣＤ用リモコン４０の位置を特定できる光を出射するものであればよい。また、撮像部２１は、ＬＣＤ用リモコン４０から出射された光をこの光の出射位置（出射角度）を識別可能な程度の解像度で撮像できるものであればよい。撮像データに基づく視点角度の算出方法については、実施形態１と略同様の方法を用いることができる。
【００８７】
以上のように、本実施形態では、ユーザーが所持しているＬＣＤ用リモコン４０から出射されるＬＥＤの光を撮像部２１によって撮像し、この撮像データに基づいて視点角度算出部２２がユーザーの視点角度を算出する。そして、この視点角度に応じて映像データの彩度を強調して表示する。これにより、実施形態１と略同様の効果を奏する。
【００８８】
また、実施形態１のように撮像データから顔領域や目領域を抽出する必要がないので、視点角度の検出処理を簡略化することができる。また、撮像部２１はＬＣＤ用リモコン４０から出射された光をこの光の出射位置（出射角度）を識別可能な程度の解像度で撮像できるものであればよいので、安価な撮像手段を用いることができ、液晶表示装置１をより安価に製造することができる。また、撮像画像に複数のユーザーが含まれる場合であっても、いずれのユーザーの視点角度に基づいて彩度補正を行うかを自動的に決定できる。
【００８９】
なお、本実施形態では、液晶表示装置１に備えられる撮像部２１によってＬＣＤ用リモコン４０から出射される光を撮像し、この撮像結果に基づいてユーザーの視点角度を算出しているが、これに限るものではない。例えば、液晶表示装置１における液晶表示パネルの近傍にＬＥＤ発光部を設け、ＬＣＤ用リモコン４０に設けた撮像部によって上記のＬＥＤ発光部を含む画像を撮像した結果に基づいて視点角度を算出するようにしてもよい。
【００９０】
また、特許文献３に開示されている方法を利用して視点角度を算出することもできる。つまり、液晶表示パネルの左右に撮像装置を設けておき、ポインティングデバイス（ＬＣＤ用リモコン）の前後に発光素子を設けておく。そして、これら左右の撮像装置による撮像画像におけるポインティングデバイスの前後に備えられている各発光素子の位置を検出し、この検出結果に基づいて視点角度を算出するようにしてもよい。
【００９１】
〔実施形態３〕
本発明のさらに他の実施形態について説明する。なお、説明の便宜上、上述した実施形態と同様の機能を有する部材については同じ符号を付し、その説明を省略する。
【００９２】
実施形態１，２では、ユーザーの視点角度を算出した後、この視点角度の算出結果に基づいて表示部１６の全域において彩度強調処理を行っていた。これに対して、本実施形態では、ユーザーの視点角度と表示画面内におけるユーザーの指示位置とを検出し、ユーザーの視点角度に応じて上記指示位置を含む注目領域内の映像データについてのみ彩度強調処理を施す。
【００９３】
図９は本実施形態にかかる表示システム１００ｂの概略構成を示すブロック図である。この図に示すように、表示システム１００ｂは、液晶表示装置１ｂとポインティングデバイス４０ｂとを備えている。
【００９４】
液晶表示装置１ｂは、実施形態１，２における液晶表示装置１の構成に加えて、指示位置算出部２３を備えている。指示位置算出部２３は、撮像部２１による撮像データに基づいて、ユーザーによる表示画面上の指示位置を算出する。
【００９５】
ポインティングデバイス４０ｂは、ユーザーが表示画面上の任意の位置を指示するためのものである。
【００９６】
ここで、ポインティングデバイス４０ｂの構成、撮像部２１の構成、および表示画面上の指示位置の算出方法について詳細に説明する。本実施形態では、特許文献３に開示されている方法を用いて表示画面上の指示位置を算出する。図１０（ａ）および図１０（ｂ）は、液晶表示装置１ｂおよびポインティングデバイス４０ｂの概略構成を示す説明図である。
【００９７】
ポインティングデバイス４０ｂは、図１０（ａ）に示すように、直方体状の筐体を備えている。そして、このポインティングデバイス４０ｂは、長手方向の一端が開口部４２になっており、この開口部４２の中心（長手方向に直交する面内における上下方向および水平方向の中心）を通る長手方向に平行な直線上に前側発光部４１ａと後側発光部４１ｂとを備えている。なお、これら各発光部４１ａ，４１ｂは、発光パターンが互いに異なっており、撮像データに基づいてこれら各発光部４１ａ，４１ｂ同士を識別できるようになっている。
【００９８】
また、液晶表示装置１ｂは、図１０（ａ）に示すように、表示画面の下端部における水平方向両端側に隣接する位置に、撮像方向が固定された撮像素子２１ａおよび２１ｂを備えている。これら各撮像素子２１ａおよび２１ｂによってポインティングデバイス４０ｂの前側発光部４１ａおよび後側発光部４１ｂを含む画像がそれぞれ撮像される。
【００９９】
なお、前側発光部４１ａと後側発光部４１ｂとの間隔、および開口部４２の形状は、ポインティングデバイス４０ｂによって表示画面内のどの位置を指し示した場合であっても、前側発光部４１ａおよび後側発光部４１ｂから撮像素子２１ａおよび２１ｂへ向かう出射光が遮断されないように設定されている。つまり、ポインティングデバイス４０ｂによって表示画面内のどの位置を指し示した場合であっても、前側発光部４１ａおよび後側発光部４１ｂから前側発光部４１ａおよび後側発光部４１ｂを直視可能な構成となっている。
【０１００】
視点角度算出部２２は、撮像素子２１ａおよび２１ｂによる撮像データから、撮像画像における前側発光部４１ａおよび後側発光部４１ｂの垂直方向の位置を検出する。これにより、撮像画像に含まれる範囲が既知であるので、垂直方向についての視点角度を算出する。同様に、撮像画像における前側発光部４１ａおよび後側発光部４１ｂの水平方向の位置を検出することにより、水平方向についての視点角度を検出する。
【０１０１】
また、指示位置算出部２３は、撮像素子２１ａおよび２１ｂによる各撮像データにおける前側発光部４１ａおよび後側発光部４１ｂの位置に基づいて、三角法等により、各発光部４１ａ，４１ｂの空間座標を算出する。そして、これら各発光部４１ａ，４１ｂの座標に対応する点を結ぶ直線と、表示画面を含む平面との交点の座標を算出し、この交点の座標をユーザーによる表示画面上の指示位置とする。
【０１０２】
次に、本実施形態にかかる液晶表示装置１ｂにおける彩度強調処理の流れについて、図１１に示すフロー図を参照しながら説明する。
【０１０３】
図１１に示すように、表示データ入力部１１に映像データが入力されると（Ｓ１１）、表示データ入力部１１は入力された映像データを第１色変換部１２に出力する。
【０１０４】
第１色変換部１２は、表示データ入力部１１から入力された映像データを明度、彩度、色相の色空間データに変換し（Ｓ１２）、彩度強調部１３に出力する。
【０１０５】
また、Ｓ１１およびＳ１２の処理の後、あるいはＳ１１およびＳ１２の処理と並行して、撮像部２１（撮像素子２１ａおよび２１ｂ）が撮像処理を行って撮像データを取得し（Ｓ１３）、取得した撮像データに基づいて視点角度算出部２２がユーザーの視点角度を算出し（Ｓ１４）、指示位置算出部２３が表示画面上の指示位置を算出する（Ｓ１５）。また、視点角度算出部２２は視点角度の算出結果を彩度強調部１３に通知し、指示位置算出部２３は指示位置の算出結果を彩度強調部１３に通知する。
【０１０６】
次に、彩度強調部１３は、指示位置算出部２３で算出された指示位置を含む所定範囲内の映像データに対して、視点角度算出部２２で算出された視点角度に基づいて彩度強調処理を施し（Ｓ１６）、彩度強調処理後の映像データを第２色変換部１４に出力する。
【０１０７】
例えば、彩度強調部１３は、指示位置を中心とする所定範囲内（例えば半径１０ｃｍの円内）を注目領域とし、この注目領域に対応する映像データに対して、彩度強調処理を施す。なお、注目領域の外部の映像データについては彩度強調処理を施さずにそのまま第２色変換部１４に出力する。
【０１０８】
なお、例えば、注目領域とその外部の領域との境界を明確に示したいような場合には、注目領域内外での彩度の変化が急峻になるように、注目領域内の映像データに対して図６（ｂ）に示した関係から求められる彩度補正量をそのまま適用して彩度補正処理を行えばよい。また、注目領域とその外部の領域との境界を不自然に感じられないように表示したい場合には、指示位置から遠ざかるほど彩度補正量が少なくなるように、例えば図６（ｂ）に示した関係から定まる彩度補正量に指示位置からの距離に応じた係数を掛けて得られる彩度補正量に基づいて彩度補正処理を行い、指示位置から近づくほど徐々に彩度が変化させていくように彩度補正処理を行ってもよい。
【０１０９】
その後、第２色変換部１４は、彩度強調部１３から入力された映像データを、表示部１６の表示特性に依存しない色空間（表示デバイスに独立な色空間）の映像データに変換し（Ｓ１７）、変換した映像データを色補正部１５に出力する。
【０１１０】
色補正部１５は、第２色変換部１４から入力された映像データに対して、表示部１６の表示特性を考慮した最適な色再現を行うための色補正を施し（Ｓ１８）、色補正処理後の映像データを表示部１６に出力する。これにより、入力された映像データに対して注目領域内の彩度を強調するように色変換処理を施した映像データが表示部１６に表示される。
【０１１１】
以上のように、本実施形態では、ユーザーの視点角度と指示位置とを検出し、指示位置を含む注目領域内の彩度を、視点角度に応じて強調する。これにより、ユーザーの指示位置を含む注目領域について、ユーザーの観察位置によらずに鮮明な色再現を行うことができる。また、従来の液晶表示パネルおよびこの液晶表示パネルに応じた色補正部（色補正テーブル）を用いて上記の構成を実現できるので、ユーザーの観察位置によらずに鮮明な色再現を行うことのできる液晶表示装置を、製造コストを増大させることなく安価に製造することができる。
【０１１２】
また、注目領域内の彩度を強調することにより、注目領域内の画像を注目領域の外部の画像よりも強調して表示し（アクセントを付けて表示し）、ユーザーにとって分かりやすく表示させることができる。
【０１１３】
なお、注目領域の算出方法は、上記した方法に限るものではない。例えば、液晶表示装置１ｂにおける表示画面の近傍に複数の発光部を設け、ポインティングデバイス４０ｂに所定の方向（例えば撮像画像の中心位置がポインティングデバイス４０ｂによる表示画面上の指示位置（指示方向）と一致する方向）を撮像する撮像手段を設けておき、撮像画像の中心位置と、撮像画像における各発光部との位置関係と、各発光部の実際の位置関係とに基づいて表示画面上の指示位置を算出するようにしてもよい。
【０１１４】
〔実施形態４〕
本発明のさらに他の実施形態について説明する。なお、説明の便宜上、上述した実施形態と同様の機能を有する部材については同じ符号を付し、その説明を省略する。
【０１１５】
上述した各実施形態では、ユーザーの視点角度に基づいて、あるいはユーザーの視点角度と表示画面上の指示位置とに基づいて映像データの彩度を強調していた。これに対して、本実施形態では、ユーザーの視点角度に基づいて、あるいはユーザーの視点角度と表示画面上の指示位置とに基づいて、映像データの彩度だけでなく明度についても強調処理を行う。
【０１１６】
図１２は本実施形態にかかる液晶表示装置１ｃの概略構成を示すブロック図である。この図に示すように、液晶表示装置１ｃは、実施形態１の液晶表示装置１に加えて、明度強調部１９を備えている。また、この明度強調部１９には、視点角度算出部２２から視点角度の算出結果が通知されるようになっている。
【０１１７】
図１３は、液晶表示装置１ｃにおける色変換処理の流れを示すフロー図である。この図に示すように、表示データ入力部１１に映像データが入力されると（Ｓ２１）、表示データ入力部１１は入力された映像データを第１色変換部１２に出力する。
【０１１８】
第１色変換部１２は、表示データ入力部１１から入力された映像データを明度、彩度、色相の色空間データに変換し（Ｓ２２）、彩度強調部１３に出力する。
【０１１９】
また、Ｓ２１およびＳ２２の処理の後、あるいはＳ２１およびＳ２２の処理と並行して、撮像部２１が撮像処理を行って撮像データを取得し（Ｓ２３）、撮像部２１が取得した撮像データに基づいて視点角度算出部２２がユーザーの視点角度を算出し（Ｓ２４）、算出した視点角度を彩度強調部１３および明度強調部１９に通知する。
【０１２０】
次に、彩度強調部１３は、視点角度算出部２２で算出された視点角度に応じて、第１色変換部１２から入力された映像データに彩度強調処理を施し（Ｓ２５）、彩度強調処理後の映像データを明度強調部１９に出力する。彩度強調処理の方法については実施形態１と同様である。
【０１２１】
次に、明度強調部１９は、彩度強調部１３から入力された映像データに対し（明度、彩度、色相の色空間データのうち明度データに対し）、視点角度算出部２２で算出された視点角度に応じて明度強調処理を施し（Ｓ２６）、明度強調処理後の映像データを第２色変換部１４に出力する。具体的には、記憶部１７には視点角度に応じた明度強調量を記憶したテーブルが予め記憶されており、明度強調部１９は視点角度算出部２２で算出された視点角度に対応する明度強調量をこのテーブルから読み出し、読み出した明度強調量に基づいて明度強調処理を施す。
【０１２２】
第２色変換部１４は、明度強調部１９から入力された映像データを、表示部１６の表示特性に依存しない色空間（表示デバイスに独立な色空間）の映像データに変換し（Ｓ２７）、変換した映像データを色補正部１５に出力する。
【０１２３】
色補正部１５は、第２色変換部１４から入力された映像データに対して、表示部１６の表示特性を考慮した最適な色再現を行うための色補正を施し（Ｓ２８）、色補正処理後の映像データを表示部１６に出力する。これにより、入力された映像データに対して色変換処理を施した映像データが表示部１６に表示される。
【０１２４】
以上のように、本実施形態では、ユーザーの視点角度の検出結果に基づいて、彩度だけでなく明度についても強調処理を施す。これにより、ユーザーの観察位置によらずに鮮明な色再現を行うとともに、ユーザーの観察位置によって明度を強調することにより、このユーザーに対してコントラストを向上させた画像を視認させることができる。
【０１２５】
なお、本実施形態では、実施形態１に示した構成において彩度だけでなく明度の強調処理を行う場合について説明したが、これに限らず、実施形態２，３に示した構成に適用することもできる。実施形態３に示した構成に適用する場合には、注目領域内の映像データについて明度の強調処理を施すようにすればよい。
【０１２６】
また、上記各実施形態において、液晶表示装置１，１ｂ，１ｃに備えられる各部（各ブロック）、特に第１色変換部１２、彩度強調部１３、第２色変換部１４、色補正部１５、視点角度算出部２２、指示位置算出部２３、明度強調部１９のうちの全部または一部を、ＣＰＵ等のプロセッサを用いてソフトウェアによって実現してもよい。この場合、液晶表示装置１，１ｂ，１ｃは、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである液晶表示装置１，１ｂ，１ｃの制御プログラムのプログラムコード（実行形式プログラム、中間コードプログラム、ソースプログラム）をコンピュータで読み取り可能に記録した記録媒体を、液晶表示装置１，１ｂ，１ｃに供給し、そのコンピュータ（またはＣＰＵやＭＰＵ）が記録媒体に記録されているプログラムコードを読み出し実行することによって達成される。
【０１２７】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１２８】
また、液晶表示装置１，１ｂ，１ｃを通信ネットワークと接続可能に構成し、通信ネットワークを介して上記プログラムコードを供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１２９】
また、液晶表示装置１，１ｂ，１ｃの各ブロックは、ソフトウェアを用いて実現されるものに限らず、ハードウェアロジックによって構成されるものであってもよく、処理の一部を行うハードウェアと当該ハードウェアの制御や残余の処理を行うソフトウェアを実行する演算手段とを組み合わせたものであってもよい。
【０１３０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１３１】
本発明は、液晶表示装置および液晶表示装置における色変換方法に適用できる。
【図面の簡単な説明】
【０１３２】
【図１】本発明の一実施形態にかかる液晶表示装置の概略構成を示すブロック図である。
【図２】図１に示した液晶表示装置に備えられる色補正部の構成を示すブロック図である。
【図３】図２に示した色補正部における色補正処理を説明するための説明図である。
【図４】（ａ）および（ｂ）は、図１に示した液晶表示装置における視点角度の算出方法を説明するための説明図である。
【図５】（ａ）は図１に示した液晶表示装置における視点角度と彩度の低下量との関係を示すグラフであり、（ｂ）は図１に示した液晶表示装置における視点角度と彩度補正量との関係を示すグラフである。
【図６】液晶表示パネルにおける視点角度と彩度の低下量との関係を調べるための実験方法の一例を示す説明図である。
【図７】図１に示した液晶表示装置における色変換処理の流れを示すフロー図である。
【図８】本発明の他の実施形態にかかる液晶表示装置の概略構成を示すブロック図である。
【図９】本発明のさらに他の実施形態にかかる液晶表示装置の概略構成を示すブロック図である。
【図１０】（ａ）および（ｂ）は、図９に示した液晶表示装置を備えた表示システムの概略構成を示す説明図である。
【図１１】図９に示した液晶表示装置における色変換処理の流れを示すフロー図である。
【図１２】本発明のさらに他の実施形態にかかる液晶表示装置の概略構成を示すブロック図である。
【図１３】図１１に示した液晶表示装置における色変換処理の流れを示すフロー図である。
【符号の説明】
【０１３３】
１，１ｂ，１ｃ  液晶表示装置
１１  表示データ入力部
１２  第１色変換部
１３  彩度強調部
１４  第２色変換部
１５  色補正部
１６  表示部
１７  記憶部
１７ａ  プロファイル記憶部
１８  液晶表示パネル
１９  明度強調部
２１  撮像部
２１ａ，２１ｂ  撮像素子
２２  視点角度算出部
２３  指示位置算出部
３１  行列演算部
３２  入力１次元ＬＵＴ演算部
３３  ３次元ＬＵＴ演算部
３４  出力１次元ＬＵＴ演算部
４０  ＬＣＤ用リモコン
４０ｂ  ポインティングデバイス
４１  発光部
４１ａ  前側発光部
４１ｂ  後側発光部
４２  開口部
１００，１００ｂ  表示システム
【図１】
2009128381.tif 000009
【図２】
2009128381.tif 000010
【図３】
2009128381.tif 000011
【図４】
2009128381.tif 000012
【図５】
2009128381.tif 000013
【図６】
2009128381.tif 000014
【図７】
2009128381.tif 000015
【図８】
2009128381.tif 000016
【図９】
2009128381.tif 000017
【図１０】
2009128381.tif 000018
【図１１】
2009128381.tif 000019
【図１２】
2009128381.tif 000020
【図１３】
2009128381.tif 000021